(57)【要約】【課題】  全画面表示領域に対し、第１画像及び第２画像を表示する複数画像表示領域が移動しても、正常な視認位置で高品位の画像を視認できるようにする。【解決手段】  表示装置は、第１画素及び第２画素が設けられた全画面表示領域を有し、左目用画像及び右目用画像を表示する三次元表示領域を全画面表示領域に形成する表示パネル１と、全画面表示領域の第１画素で表示された左目用画像が第１視認領域で視認される一方、全画面表示領域の第２画素で表示された右目用画像が第２視認領域で視認されるように、左目用画像及び右目用画像を分離する視差バリアパネル２と、全画面表示領域における三次元表示領域の位置を検出する表示位置認識部６１と、表示位置認識部６１により検出された三次元表示領域の位置に基づいて、左目用画像の視認位置を第１視認領域に補正すると共に、右目用画像の視認位置を第２視認領域に補正するバリア位置制御回路６２とを備えている。【選択図】図４
2006047507.tif 000002
【特許請求の範囲】
【請求項１】
表示画面全体の表示領域を構成すると共に複数の第１画素及び複数の第２画素が設けられた全画面表示領域を有し、第１画像及び第２画像を表示する複数画像表示領域を上記全画面表示領域に形成する表示パネルと、
上記表示パネルに対向して設けられ、上記全画面表示領域の上記第１画素で表示された上記複数画像表示領域の上記第１画像及び第２画像の一方が第１視認領域で視認される一方、上記全画面表示領域の上記第２画素で表示された上記複数画像表示領域の上記第１画像及び第２画像の他方が第２視認領域で視認されるように、上記第１画像及び第２画像を分離する視差バリアパネルとを備えた表示装置であって、
上記全画面表示領域における上記複数画像表示領域の位置を検出する検出手段と、
上記検出手段により検出された上記複数画像表示領域の位置に基づいて、上記第１画像の視認位置を上記第１視認領域に補正すると共に、上記第２画像の視認位置を上記第２視認領域に補正する補正手段とを備えている
ことを特徴とする表示装置。
【請求項２】
請求項１において、
上記補正手段は、上記検出手段により検出された上記複数画像表示領域の位置に応じて、上記視差バリアパネルにおけるバリアの位相を反転させる位相反転部により構成されている
ことを特徴とする表示装置。
【請求項３】
請求項１において、
上記視差バリアパネルは、液晶パネルにより構成されている
ことを特徴とする表示装置。
【請求項４】
請求項３において、
上記液晶パネルは、平板状の共通電極と、該共通電極に液晶層を介して対向配置され、ストライプ状に延びる複数のバリア制御電極とにより構成された電極構造を有し、
上記複数のバリア制御電極は、１本おきに同じ電圧が印加されるように構成されている
ことを特徴とする表示装置。
【請求項５】
請求項２において、
上記表示パネルは、上記複数画像表示領域における上記第１画像及び第２画像を左右に反転して表示する左右反転表示部を備え、
上記位相反転部は、上記左右反転表示部による左右反転表示に同期して、バリアの位相を反転させるように構成されている
ことを特徴とする表示装置。
【請求項６】
請求項１において、
上記補正手段は、上記検出手段により検出された上記複数画像表示領域の位置に応じて、上記複数画像表示領域における上記第１画像及び第２画像の配列を反転する配列反転部により構成されている
ことを特徴とする表示装置。
【請求項７】
請求項６において、
上記表示パネルは、上記複数画像表示領域における上記第１画像及び第２画像を左右に反転して表示する左右反転表示部を備え、
上記配列反転部は、上記左右反転表示部による左右反転表示に同期して、上記第１画像及び第２画像の配列を反転するように構成されている
ことを特徴とする表示装置。
【請求項８】
請求項１において、
上記補正手段は、上記検出手段により検出された上記複数画像表示領域の位置に応じて、上記複数画像表示領域を、上記第１画像が上記第１視認領域で視認されると共に上記第２画像が上記第２視認領域で視認される所定の正常位置に移動させる領域移動部により構成されている
ことを特徴とする表示装置。
【請求項９】
請求項８において、
上記表示パネルは、上記複数画像表示領域における上記第１画像及び第２画像を左右に反転して表示する左右反転表示部を備え、
上記領域移動部は、上記左右反転表示部による左右反転表示に同期して、上記複数画像表示領域を上記正常位置に移動させるように構成されている
ことを特徴とする表示装置。
【請求項１０】
請求項１において、
上記第１画像が左目用画像及び右目用画像の一方に構成され、且つ、上記第２画像が上記左目用画像及び右目用画像の他方に構成されることにより、三次元表示を行うように構成されている
ことを特徴とする表示装置。
【請求項１１】
表示画面全体の表示領域を構成すると共に複数の第１画素及び複数の第２画素が設けられた全画面表示領域を有し、第１画像及び第２画像を表示する複数画像表示領域を上記全画面表示領域に形成する表示パネルと、
上記表示パネルに対向して設けられ、上記全画面表示領域の上記第１画素で表示された上記複数画像表示領域の上記第１画像及び第２画像の一方が第１視認領域で視認される一方、上記全画面表示領域の上記第２画素で表示された上記複数画像表示領域の上記第１画像及び第２画像の他方が第２視認領域で視認されるように、上記第１画像及び第２画像を分離する視差バリアパネルとを備えた表示装置により画像を表示する方法であって、
上記全画面表示領域における上記複数画像表示領域の位置を検出する検出ステップと、
上記検出ステップで検出された上記複数画像表示領域の位置に基づいて、上記第１画像の視認位置を上記第１視認領域に補正すると共に、上記第２画像の視認位置を上記第２視認領域に補正する補正ステップとを備えている
ことを特徴とする表示方法。
【請求項１２】
請求項１１において、
上記補正ステップでは、上記検出ステップで検出された上記複数画像表示領域の位置に応じて、上記視差バリアパネルにおけるバリアの位相を反転させる
ことを特徴とする表示方法。
【請求項１３】
請求項１１において、
上記視差バリアパネルは、液晶パネルにより構成されている
ことを特徴とする表示方法。
【請求項１４】
請求項１３において、
上記液晶パネルは、平板状の共通電極と、該共通電極に液晶層を介して対向配置され、ストライプ状に延びる複数のバリア制御電極とにより構成された電極構造を有し、
上記複数のバリア制御電極に対し、１本おきに同じ電圧を印加することにより、バリアの位相を制御する
ことを特徴とする表示方法。
【請求項１５】
請求項１２において、
上記表示パネルは、上記複数画像表示領域における上記第１画像及び第２画像を左右に反転して表示する左右反転表示部を備え、
上記補正ステップでは、上記左右反転表示部による左右反転表示に同期して、バリアの位相を反転させる
ことを特徴とする表示方法。
【請求項１６】
請求項１１において、
上記補正手段は、上記検出手段により検出された上記複数画像表示領域の位置に応じて、上記複数画像表示領域における上記第１画像及び第２画像の配列を反転する
ことを特徴とする表示方法。
【請求項１７】
請求項１６において、
上記表示パネルは、上記複数画像表示領域における上記第１画像及び第２画像を左右に反転して表示する左右反転表示部を備え、
上記補正ステップでは、上記左右反転表示部による左右反転表示に同期して、上記第１画像及び第２画像の配列を反転する
ことを特徴とする表示方法。
【請求項１８】
請求項１１において、
上記補正手段は、上記検出手段により検出された上記複数画像表示領域の位置に応じて、上記複数画像表示領域を、上記第１画像が上記第１視認領域で視認されると共に上記第２画像が上記第２視認領域で視認される所定の正常位置に移動させる
ことを特徴とする表示方法。
【請求項１９】
請求項１８において、
上記表示パネルは、上記複数画像表示領域における上記第１画像及び第２画像を左右に反転して表示する左右反転表示部を備え、
上記補正ステップでは、上記左右反転表示部による左右反転表示に同期して、上記複数画像表示領域を上記正常位置に移動させる
ことを特徴とする表示方法。
【請求項２０】
請求項１１において、
上記第１画像が左目用画像及び右目用画像の一方に構成され、且つ、上記第２画像が上記左目用画像及び右目用画像の他方に構成されることにより、三次元表示を行う
ことを特徴とする表示方法。
【発明の詳細な説明】
【技術分野】
【０００１】
本発明は、複数の画像を分離して表示する表示装置及び表示方法に関するものである。
【背景技術】
【０００２】
人間の２つの目は、空間的に離れて頭部に配置されているため、２つの異なる視点から見た像をそれぞれ知覚しており、人間の脳は、これらの２つの像の視差によって立体感を認識する。そこで、この原理を利用し、観察者の左右の目に対し、異なる視点から見た像をそれぞれ視認させることにより視差を与え、三次元表示を行う三次元液晶表示装置が従来より開発されている。
【０００３】
ここで、図１５及び図１６を参照して、一般的な三次元液晶表示装置について説明する。三次元液晶表示装置１００は、液晶層を有する表示パネル１０１と、視差バリアパネル１０２とを備えている。
【０００４】
上記視差バリアパネル１０２は、表示パネル１０１の背面側（つまり、表示パネル１０１を介して観察者とは反対側）に配置され、透過領域１２１と遮光領域（バリア）１２２とが交互に配置されてストライプ状に形成されている。一方、表示パネル１０１には、画素毎に、右目用画像を表示する右目用画素１１１と、左目用画像を表示する左目用画素１１２とが設けられている。右目用画素１１１及び左目用画素１１２は、図１５に示すように、全体として交互に並んで配置されている。
【０００５】
こうして、光源の光を背面側から視差バリアパネル１０２を介して表示パネル１０１へ入射させることによって、各画素１１１，１１２から所定の角度で表示光をそれぞれ出射させるようになっている。その結果、図１６に示すように、観察者側の所定の空間領域に右目用画像観察領域Ｒと、左目用画像観察領域Ｌとが形成されるため、これらの領域Ｒ，Ｌにおいて観察者は三次元画像を認識できることとなる。
【０００６】
しかし、上記三次元液晶表示装置は、観察者の見る位置が瞳孔間隔だけ移動すると左右の目に入る画像が逆転し、正しい立体像とはならず、いわゆる逆視の状態になってしまうという問題がある。
【０００７】
そこで、従来より、観察者の移動に対し、視差バリアパネルの位相を反転させることにより、三次元画像の視認位置を補正することが知られている（例えば、特許文献１参照）。特許文献１では、観察者の頭部位置を赤外線等を利用した検出回路により検出し、その検出信号に基づいて、頭部位置が瞳孔間隔だけ左右方向に移動する毎に、頭の移動に同期させてバリアの位置（位相）を位相反転部によりシフトさせる位相反転制御を行うようにしている。
【特許文献１】特開平３−１１９８８９号公報
【発明の開示】
【発明が解決しようとする課題】
【０００８】
ところで、例えば図１７に示すように、画面全体の表示領域である全画面表示領域Ｔに対し、三次元画像の表示領域である三次元表示領域Ｃを、例えばパソコンのＯＳにおけるウィンドウのように、部分的に表示することが考えられる。このとき、上記全画面表示領域Ｔには、例えば二次元画像が表示されている。
【０００９】
この場合、全画面表示領域Ｔにおいて、三次元表示領域Ｃを移動させることが望まれるが、その三次元表示領域Ｃの移動により、観察者が三次元画像を正常に視認できる位置がずれてしまうという問題が生じる。
【００１０】
上記問題点について、以下に説明する。
【００１１】
三次元表示領域Ｃの三次元画像は、例えば、図１７に示すように、左側から順に、左目用画像１１７、右目用画像１１６、左目用画像１１７、…と各画像の列がストライプ状に配置されている。
【００１２】
上記三次元画像が図１７に示される正常位置で表示されている場合には、左目用画像１１７が全画面表示領域Ｔの左目用画素１１２で表示される一方、右目用画像１１６が全画面表示領域Ｔの右目用画素１１１で表示される。視差バリアパネルは、全画面表示領域Ｔの右目用画素１１１及び左目用画素１１２に対応して規定されているため、上記右目用画像１１６及び左目用画像１１７は、上記視差バリアパネルにより適切に分離され、正常な三次元画像が視認される。
【００１３】
しかし、図１８に示すように、三次元表示領域Ｃが、全画面表示領域Ｔにおける正常位置から、例えば１画素分右側へずれてしまった場合には、左目用画像１１７が右目用画素１１１で表示される一方、右目用画像１１６が左目用画素１１２で表示される。
【００１４】
その結果、バリア状態が固定されている上記視差バリアパネルでは、左右の各画像１１６，１１７を正しく分離することができないため、三次元画像の正常な視認位置が、観察者の視認位置からずれてしまうこととなる。尚、この問題は、三次元表示領域Ｃが、１画素分以外に、奇数個の画素分ずれた場合にも同様に生じる。
【００１５】
上記特許文献１の表示装置では、観察者の頭部の動きに応じて視差バリアパネルのバリア位相を反転するものであるため、上述の問題点に対しては何等解決策となり得ない。
【００１６】
本発明は、斯かる諸点に鑑みてなされたものであり、その目的とするところは、全画面表示領域に対し、左目用画像や右目用画像等の複数種類の画像を表示する複数画像表示領域が移動しても、正常な視認位置で高品位の画像を視認できるようにすることにある。
【課題を解決するための手段】
【００１７】
上記の目的を達成するために、この発明では、全画面表示領域における複数画像表示領域の位置に基づいて、第１画像及び第２画像の視認位置を補正するようにした。
【００１８】
具体的に、本発明に係る表示装置は、表示画面全体の表示領域を構成すると共に複数の第１画素及び複数の第２画素が設けられた全画面表示領域を有し、第１画像及び第２画像を表示する複数画像表示領域を上記全画面表示領域に形成する表示パネルと、上記表示パネルに対向して設けられ、上記全画面表示領域の上記第１画素で表示された上記複数画像表示領域の上記第１画像及び第２画像の一方が第１視認領域で視認される一方、上記全画面表示領域の上記第２画素で表示された上記複数画像表示領域の上記第１画像及び第２画像の他方が第２視認領域で視認されるように、上記第１画像及び第２画像を分離する視差バリアパネルとを備えた表示装置であって、上記全画面表示領域における上記複数画像表示領域の位置を検出する検出手段と、上記検出手段により検出された上記複数画像表示領域の位置に基づいて、上記第１画像の視認位置を上記第１視認領域に補正すると共に、上記第２画像の視認位置を上記第２視認領域に補正する補正手段とを備えている。
【００１９】
上記補正手段は、上記検出手段により検出された上記複数画像表示領域の位置に応じて、上記視差バリアパネルにおけるバリアの位相を反転させる位相反転部により構成してもよい。
【００２０】
上記視差バリアパネルは、液晶パネルにより構成することが好ましい。
【００２１】
上記液晶パネルは、平板状の共通電極と、該共通電極に液晶層を介して対向配置され、ストライプ状に延びる複数のバリア制御電極とにより構成された電極構造を有し、上記複数のバリア制御電極は、１本おきに同じ電圧が印加されるように構成してもよい。
【００２２】
上記表示パネルは、上記複数画像表示領域における上記第１画像及び第２画像を左右に反転して表示する左右反転表示部を備え、上記位相反転部は、上記左右反転表示部による左右反転表示に同期して、バリアの位相を反転させるように構成することが好ましい。
【００２３】
上記補正手段は、上記検出手段により検出された上記複数画像表示領域の位置に応じて、上記複数画像表示領域における上記第１画像及び第２画像の配列を反転する配列反転部により構成してもよい。
【００２４】
上記表示パネルは、上記複数画像表示領域における上記第１画像及び第２画像を左右に反転して表示する左右反転表示部を備え、上記配列反転部は、上記左右反転表示部による左右反転表示に同期して、上記第１画像及び第２画像の配列を反転するように構成することが好ましい。
【００２５】
上記補正手段は、上記検出手段により検出された上記複数画像表示領域の位置に応じて、上記複数画像表示領域を、上記第１画像が上記第１視認領域で視認されると共に上記第２画像が上記第２視認領域で視認される所定の正常位置に移動させる領域移動部により構成してもよい。
【００２６】
上記表示パネルは、上記複数画像表示領域における上記第１画像及び第２画像を左右に反転して表示する左右反転表示部を備え、上記領域移動部は、上記左右反転表示部による左右反転表示に同期して、上記複数画像表示領域を上記正常位置に移動させるように構成することが好ましい。
【００２７】
上記第１画像が左目用画像及び右目用画像の一方に構成され、且つ、上記第２画像が上記左目用画像及び右目用画像の他方に構成されることにより、三次元表示を行うように構成してもよい。
【００２８】
また、本発明に係る表示方法は、表示画面全体の表示領域を構成すると共に複数の第１画素及び複数の第２画素が設けられた全画面表示領域を有し、第１画像及び第２画像を表示する複数画像表示領域を上記全画面表示領域に形成する表示パネルと、上記表示パネルに対向して設けられ、上記全画面表示領域の上記第１画素で表示された上記複数画像表示領域の上記第１画像及び第２画像の一方が第１視認領域で視認される一方、上記全画面表示領域の上記第２画素で表示された上記複数画像表示領域の上記第１画像及び第２画像の他方が第２視認領域で視認されるように、上記第１画像及び第２画像を分離する視差バリアパネルとを備えた表示装置により画像を表示する方法であって、上記全画面表示領域における上記複数画像表示領域の位置を検出する検出ステップと、上記検出ステップで検出された上記複数画像表示領域の位置に基づいて、上記第１画像の視認位置を上記第１視認領域に補正すると共に、上記第２画像の視認位置を上記第２視認領域に補正する補正ステップとを備えている。
【００２９】
上記補正ステップでは、上記検出ステップで検出された上記複数画像表示領域の位置に応じて、上記視差バリアパネルにおけるバリアの位相を反転させてもよい。
【００３０】
上記視差バリアパネルは、液晶パネルにより構成することが好ましい。
【００３１】
上記液晶パネルは、平板状の共通電極と、該共通電極に液晶層を介して対向配置され、ストライプ状に延びる複数のバリア制御電極とにより構成された電極構造を有し、上記複数のバリア制御電極に対し、１本おきに同じ電圧を印加することにより、バリアの位相を制御してもよい。
【００３２】
上記表示パネルは、上記複数画像表示領域における上記第１画像及び第２画像を左右に反転して表示する左右反転表示部を備え、上記補正ステップでは、上記左右反転表示部による左右反転表示に同期して、バリアの位相を反転させることが好ましい。
【００３３】
上記補正手段は、上記検出手段により検出された上記複数画像表示領域の位置に応じて、上記複数画像表示領域における上記第１画像及び第２画像の配列を反転させてもよい。
【００３４】
上記表示パネルは、上記複数画像表示領域における上記第１画像及び第２画像を左右に反転して表示する左右反転表示部を備え、上記補正ステップでは、上記左右反転表示部による左右反転表示に同期して、上記第１画像及び第２画像の配列を反転することが好ましい。
【００３５】
上記補正手段は、上記検出手段により検出された上記複数画像表示領域の位置に応じて、上記複数画像表示領域を、上記第１画像が上記第１視認領域で視認されると共に上記第２画像が上記第２視認領域で視認される所定の正常位置に移動させてもよい。
【００３６】
上記表示パネルは、上記複数画像表示領域における上記第１画像及び第２画像を左右に反転して表示する左右反転表示部を備え、上記補正ステップでは、上記左右反転表示部による左右反転表示に同期して、上記複数画像表示領域を上記正常位置に移動させることが好ましい。
【００３７】
上記第１画像が左目用画像及び右目用画像の一方に構成され、且つ、上記第２画像が上記左目用画像及び右目用画像の他方に構成されることにより、三次元表示を行うようにしてもよい。
【００３８】
−作用−
次に、本発明の作用について説明する。
【００３９】
全画面表示領域には、第１画素及び第２画素がそれぞれ複数設けられている。上記全画面表示領域に複数画像表示領域が形成された場合、複数画像表示領域の第１画像は、全画面表示領域の第１画素及び第２画素の一方において表示される。一方、複数画像表示領域の第２画像は、全画面表示領域の第１画素及び第２画素の他方において表示される。
【００４０】
例えば、複数画像表示領域の第１画像が、全画面表示領域の第１画素で表示される場合には、複数画像表示領域の第２画像が、全画面表示領域の第２画素で表示される。
【００４１】
視差バリアパネルは、上記複数画像表示領域の第１画像及び第２画像を分離する。その結果、上記全画面表示領域の第１画素で表示された上記複数画像表示領域の第１画像及び第２画像の一方が、第１視認領域で視認されると共に、上記全画面表示領域の第２画素で表示された上記複数画像表示領域の第１画像及び第２画像の他方が、第２視認領域で視認される。
【００４２】
例えば、複数画像表示領域の第１画像が全画面表示領域の第１画素で表示されると、この第１画像は、視差バリアパネルにより第２画像から分離されて、第１視認領域で正常に視認される。一方、複数画像表示領域の第２画像が全画面表示領域の第２画素で表示されると、この第２画像は、視差バリアパネルにより第１画像から分離されて、第２視認領域で正常に視認される。
【００４３】
そして、例えば、上記第１画像が左目用画像であり、第１視認領域が左目用画像視認領域であると共に、上記第２画像が右目用画像であり、第２視認領域が右目用画像視認領域である場合に、正常な三次元画像が視認されることとなる。
【００４４】
ところで、上記複数画像表示領域が、全画面表示領域において移動すると、全画面表示領域の各画素で表示される複数画像表示領域の画像が変化する。例えば、ある位置に複数画像表示領域が形成されているときに、第１画像が第１画素で表示されると共に第２画像が第２画素で表示されているとすると、異なる位置に複数画像表示領域が移動したときに、第１画像が第２画素で表示されると共に第２画像が第１画素で表示される。
【００４５】
上記検出手段は、全画面表示領域における複数画像表示領域の位置を検出する。そして、補正手段は、検出手段により検出された複数画像表示領域の位置に基づいて、第１画像の視認位置を第１視認領域に補正すると共に、第２画像の視認位置を第２視認領域に補正する。
【００４６】
例えば、検出手段により複数画像表示領域が所定の正常位置にあることが検出されたとき、第１画像が第１画素で表示されると共に、第２画像が第２画素で表示されているとする。このとき、第１画像は第１視認領域で正常に視認され、第２画像は第２視認領域で正常に視認されるため、上記第１画像及び第２画像の視認位置は正常となる。したがって、補正手段は、上記第１画像及び第２画像の視認位置を補正する必要がない。
【００４７】
これに対し、検出手段により複数画像表示領域が上記正常位置と異なる異常位置にあることが検出されたとき、第１画像が第２画素で表示されると共に、第２画像が第１画素で表示されているとする。このとき、仮に、補正手段による補正が行われないとすると、第１画像は第２視認領域で視認され、第２画像は第１視認領域で視認されてしまうため、上記第１画像及び第２画像の視認位置は異常となってしまう。そこで、本発明では、複数画像表示領域が異常位置にあることが検出手段により検出されたときに、補正手段は、第１画像の視認位置を第１視認領域に補正すると共に、第２画像の視認位置を第２視認領域に補正する。その結果、複数画像表示領域の移動に拘わらず、正常な視認位置で第１画像及び第２画像を視認することが可能となる。
【００４８】
上記補正手段は、上記検出手段により検出された上記複数画像表示領域の位置に応じて、視差バリアパネルにおけるバリアの位相を反転させる位相反転部により構成することが可能である。
【００４９】
すなわち、検出手段により、複数画像表示領域が正常位置にあることが検出されたときには、位相反転部は視差バリアパネルの位相を反転させない。一方、複数画像表示領域が異常位置にあることが検出されたときには、位相反転部は視差バリアパネルの位相を反転させる。その結果、第２画素で表示された第１画像は、位相が反転された視差バリアパネルにより、第１視認領域で正常に視認されるようになる。一方、第１画素で表示された第２画像は、位相が反転された視差バリアパネルにより、第２視認領域で正常に視認されるようになる。
【００５０】
上記位相反転部を有する表示パネルは、平板状の共通電極と、該共通電極に液晶層を介して対向配置され、ストライプ状に延びる複数のバリア制御電極とにより構成された電極構造を設け、上記複数のバリア制御電極に対し、１本おきに同じ電圧を印加する構成とすることにより実現可能である。すなわち、液晶層の液晶分子は、隣り合うバリア制御電極毎に異なる配向状態となる。そして、各バリア制御電極に印加する電圧を入れ替えることにより、バリアの位相を反転させることが可能となる。
【００５１】
また、表示パネルが左右反転表示部を備えている場合には、その反転表示により、第１画像及び第２画像が表示される画素が、変化してしまう。例えば、第１画像が第１画素で表示されると共に第２画像が第２画素で表示されている場合に、左右反転表示部が作動して左右反転表示が行われると、第１画像が第２画素で表示されると共に、第２画像が第１画素で表示される。これに対して、位相反転部を、上記左右反転表示に同期して、バリアの位相を反転させるように構成することにより、上記第１画像及び第２画像を正常な視認位置で視認することが可能となる。
【００５２】
上記補正手段は、検出手段により検出された複数画像表示領域の位置に応じて、複数画像表示領域における第１画像及び第２画像の配列を反転する配列反転部により構成することも可能である。
【００５３】
すなわち、検出手段により、複数画像表示領域が正常位置にあることが検出されたときには、配列反転部は複数画像表示領域における画像の配列を反転させない。一方、複数画像表示領域が異常位置にあることが検出されたときには、配列反転部は上記複数画像表示領域における画像の配列を反転させる。その結果、第１画像は常に第１画素で表示されると共に、第２画像は常に第２画素で表示されるため、上記第１画像及び第２画像は、第１視認領域及び第２視認領域において正常に視認されることとなる。
【００５４】
また、表示パネルが左右反転表示部を備えている場合には、配列反転部を、上記左右反転表示部による左右反転表示に同期して、バリアの位相を反転させるように構成することにより、上記第１画像及び第２画像を正常な視認位置で視認することが可能となる。
【００５５】
上記補正手段は、検出手段により検出された複数画像表示領域の位置に応じて、複数画像表示領域を、所定の正常位置に移動させる領域移動部により構成することも可能である。
【００５６】
すなわち、検出手段により、複数画像表示領域が正常位置にあることが検出されたときには、領域移動部は複数画像表示領域を移動させない。一方、複数画像表示領域が異常位置にあることが検出されたときには、領域移動部は上記複数画像表示領域を所定の正常位置に移動させる。その結果、第１画像が第１視認領域で正常に視認されると共に、第２画像が第２視認領域で正常に視認される。
【００５７】
また、表示パネルが左右反転表示部を備えている場合には、領域移動部を、上記左右反転表示部による左右反転表示に同期して、複数画像表示領域を上記正常位置に移動させるように構成することにより、上記第１画像及び第２画像を正常な視認位置で視認することが可能となる。
【００５８】
仮に、領域移動部が設けられていないとすると、複数画像表示領域が正常位置にある場合において左右反転表示部により表示が左右反転されたときには、第１画素では第２画像が表示される一方、第２画素では第１画像が表示される。これに対して、領域移動部を設けることにより、複数画像表示領域は、上記左右反転表示に同期して上記正常位置に移動される。その結果、上記第１画像及び第２画像を正常な視認位置で視認することが可能となる。
【発明の効果】
【００５９】
本発明によれば、検出手段により検出された複数画像表示領域の位置に基づいて、第１画像の視認位置を第１視認領域に補正すると共に、第２画像の視認位置を第２視認領域に補正するようにしたので、複数画像表示領域の移動に拘わらず、所定の視認位置で高品位の画像を視認することができる。
【発明を実施するための最良の形態】
【００６０】
以下、本発明の実施形態を図面に基づいて詳細に説明する。尚、本発明は、以下の実施形態に限定されるものではない。
【００６１】
《発明の実施形態１》
図１〜図６は、本発明に係る表示装置及び表示方法の実施形態１を示している。
【００６２】
断面図である図１に示すように、表示装置Ｓは、表示パネル１と、視差バリアパネル２とを備えている。本実施形態では、表示装置の一例として、三次元表示を行う液晶表示装置について説明するが、本発明はこれに限らず、例えば有機ＥＬ表示装置等の他の表示装置についても適用することができる。
【００６３】
上記表示パネル１は、一対の基板１１，１２の間に液晶層１３が狭持された液晶表示パネルにより構成されている。
【００６４】
上記一対の基板１１，１２は、スイッチング素子である複数の薄膜トランジスタ（図示は省略する。以下、ＴＦＴと略称する）が設けられたＴＦＴ基板１１と、ＴＦＴ基板１１に対向して設けられた対向基板１２とにより構成されている。ＴＦＴ基板１１は、図１に示すように、ガラス基板１４の上面にマトリクス状に設けられた複数の画素電極１５と、ガラス基板１４の下面に設けられた偏光板１６とを有している。上記各画素電極１５は、それぞれ上記ＴＦＴに接続されている。
【００６５】
上記ガラス基板１４の表面には、上記画素電極１５を覆うように配向膜（図示省略）が形成されている。また、ガラス基板１４の上面には、上記配向膜を介してスペーサ１７が設けられている。スペーサ１７は、ＴＦＴ基板１１及び対向基板１２の間のセル厚を規定するためのものである。また、ＴＦＴ基板１１の下方には、光源であるバックライトユニット（図示省略）が配置されている。
【００６６】
一方、対向基板１２は、ガラス基板２１の下面に設けられた共通電極２２と、ガラス基板２１の上面に設けられた偏光板２３とを有している。共通電極２２は、配向膜（図示省略）により覆われている。
【００６７】
そして、上記ＴＦＴ基板１１及び対向基板１２が対向した状態で貼り合わせられると共に、これら基板１１，１２同士の間に液晶が充填されることにより、液晶層１３が形成されている。こうして、上記画素電極１５と共通電極２２との間で液晶層１３に所定の電圧を印加することにより、液晶層１３を各画素毎に駆動し、光源の光を選択的に上方へ透過させるようになっている。
【００６８】
上記表示パネル１は、平面図である図５に示すように、表示画面全体の表示領域を構成する全画面表示領域Ｔを有している。全画面表示領域Ｔには、マトリクス状に複数の画素が配置されている。上記画素は、複数の第１画素４１及び複数の第２画素４２により構成されている。第１画素４１は、図５で左側端部から数えて奇数番目の画素列に設けられている。第２画素４２は、図５で左側端部から数えて偶数番目の画素列に設けられている。言い換えれば、全画面表示領域Ｔには、第１画素４１により構成された第１の画素列と、第２画素４２により構成された第２の画素列とが、交互に配置されている。
【００６９】
また、表示パネル１は、複数画像表示領域Ｃを上記全画面表示領域Ｔに形成するように構成されている。複数画像表示領域Ｃは、典型的には、全画面表示領域Ｔの一部の領域に形成され、第１画像５１及び第２画像５２を表示するように構成されている。
【００７０】
本実施形態では、第１画像５１は左目用画像５１であり、第２画像５２は右目用画像５２である。つまり、上記複数画像表示領域Ｃは、立体画像表示領域Ｃのことである。左目用画像５１は、図５で立体画像表示領域Ｃの左側端部から数えて奇数番目の画素列で表示される。一方、右目用画像５２は、図５で立体画像表示領域Ｃの左側端部から数えて偶数番目の画素列で表示される。
【００７１】
一方、上記視差バリアパネル２は、上記表示パネル１に対向して設けられ、板状のガラススペーサ２５を介して表示パネル１に装着されている。
【００７２】
視差バリアパネル２は、一対の基板３１，３２の間に例えばＴＮモードの液晶層３３が狭持された液晶パネルにより構成されている。
【００７３】
上記一対の基板３１，３２は、第１基板３１と、第２基板３２とにより構成されている。第１基板３１は、図１に示すように、ガラス基板３５の上面に設けられた複数のバリア制御電極３６と、ガラス基板３５の下面に設けられた偏光板２７とを有している。すなわち、偏光板２７は、ガラス基板３５とガラススペーサ２５との間に配置されている。
【００７４】
上記ガラス基板３５の上には、バリア制御電極３６を覆うように配向膜（図示省略）が設けられている。また、ガラス基板３５の上面には、上記配向膜を介してスペーサ３７が設けられている。スペーサ３７は、第１基板３１及び第２基板３２の間のセル厚を規定するためのものである。
【００７５】
一方、第２基板３２は、ガラス基板３８の下面に設けられたベタ電極である共通電極３９と、ガラス基板３８の上面に設けられた偏光板４０とを有している。共通電極３９は、配向膜（図示省略）により覆われている。
【００７６】
そして、上記視差バリアパネル２は、全画面表示領域Ｔの第１画素４１で表示された三次元表示領域Ｃの画像５１，５２が左目用画像視認領域で視認される一方、全画面表示領域Ｔの第２画素４２で表示された三次元表示領域Ｃの画像５１，５２が右目用画像視認領域で視認されるように、左目用画像５１及び右目用画像５２を分離するように構成されている。
【００７７】
つまり、左目用画像５１及び右目用画像５２の一方は、第１画素４１で表示され、左目用画像視認領域で視認される。一方、左目用画像５１及び右目用画像５２の他方は、第２画素４２で表示され、右目用画像視認領域で視認される。
【００７８】
上記左目用画像視認領域（第１視認領域）は、観察者の左目が配置される領域であり、上記右目用画像視認領域（第２視認領域）は、観察者の右目が配置される領域である。そして、左目用画像５１が左目用画像視認領域で視認され、且つ、右目用画像５２が右目用画像視認領域で視認されることにより、観察者が正常に立体表示を視認することができるようになっている。このとき、観察者は、立体画像表示領域Ｃにおいて三次元表示を視認する一方、立体画像表示領域Ｃ以外の全画面表示領域Ｔにおいて二次元表示を視認することとなる。
【００７９】
上記視差バリアパネル２は、平板状の上記共通電極３９と、共通電極３９に液晶層３３を介して対向配置され、ストライプ状に延びる複数のバリア制御電極３６とにより構成された電極構造を有している。
【００８０】
そして、各バリア制御電極３６は、斜視図である図２に示すように、１本おきに配線を介して結線されており、例えば、図２で左側から数えて奇数番目のバリア制御電極３６が、第１入力端子Ａに接続されている。一方、図２で左側から数えて偶数番目のバリア制御電極３６が、第２入力端子Ｂに接続されている。すなわち、複数のバリア制御電極３６は、１本おきに同じ電圧が印加されるように構成されている。
【００８１】
こうして、視差バリアパネル２は、各バリア制御電極３６に対し、上記第１入力端子Ａ及び第２入力端子Ｂから同じ電圧を印加して視差バリアパネル２の画面全体を光透過部とすることにより、二次元表示を可能とする一方、上記第１入力端子Ａ及び第２入力端子Ｂに正負の異なる電圧をそれぞれ印加して、光透過部と、遮光部（バリア）とをストライプ状に形成することにより、三次元表示を可能としている。
【００８２】
そして、本発明の特徴として、表示装置Ｓは、図４に示すように、検出手段である表示位置認識部６１と、補正手段６０とを備えている。
【００８３】
上記表示位置認識部６１は、全画面表示領域Ｔにおける三次元表示領域Ｃの位置を検出するように構成されている。
【００８４】
上記補正手段６０は、上記表示位置認識部６１により検出された三次元表示領域Ｃの位置に基づいて、左目用画像５１の視認位置を左目用画像視認領域に補正すると共に、右目用画像５２の視認位置を右目用画像視認領域に補正するように構成されている。
【００８５】
さらに、表示装置Ｓは、映像データ等の信号を出力する画像処理部６３と、表示パネル１を駆動するためのディスプレイ駆動回路６４とを備えている。
【００８６】
本実施形態では、補正手段６０は、表示位置認識部６１により検出された三次元表示領域Ｃの位置に応じて、視差バリアパネル２におけるバリアの位相を反転させる位相反転部６０により構成されている。位相反転部６０は、視差バリアパネル２と、視差バリアパネルのバリア制御電極３６に印加する電圧値を変化させるバリア位置制御回路６２とにより構成されている。バリア位置制御回路６２は、斜視図である図３に示すように、視差バリアパネル２の電極構造に設けられている第１入力端子Ａ及び第２入力端子Ｂに接続されている。
【００８７】
そして、図４に示すように、バリア位置制御回路６２には、三次元表示領域Ｃの位置を示す制御信号ＳＩＧpositionが表示位置認識部６１から入力されると共に、二次元表示又は三次元表示の表示状態を示す制御信号ＳＩＧ2D/3Dが画像処理部６３から入力されるようになっている。バリア位置制御回路６２は、入力されたこれらの制御信号ＳＩＧposition，ＳＩＧ2D/3Dに基づいて、第１入力端子Ａ及び第２入力端子Ｂに供給する電圧値を決定するようになっている。このことにより、視差バリアパネル２は、バリアのない全透過状態（二次元表示）、バリア形成状態（三次元表示）、又はバリア反転状態（三次元表示）に切り替えられる。
【００８８】
一方、ディスプレイ駆動回路６４には、画像処理部６３から映像データが入力され、その映像データに基づいて、ゲート信号やソース信号を表示パネル１に供給するようになっている。このことにより、所望の二次元表示又は三次元表示のための画像が表示される。
【００８９】
−表示方法−
次に、本発明に係る表示装置による表示方法について説明する。
【００９０】
本実施形態の表示方法は、表示位置認識部６１により三次元表示領域Ｃを検出する検出ステップと、左目用画像５１及び右目用画像５２の視認位置をバリア位置制御回路（位相反転部）６２により補正する補正ステップとを備えている。
【００９１】
図５は、三次元表示領域Ｃの画像が適切に分離されて観察者が三次元表示を視認できる三次元表示領域Ｃの正常な配置を示している。このとき、三次元表示領域Ｃの左端に表示されている左目用画像５１は、全画面表示領域Ｔにおける左側端部から数えて奇数番目の画素列（以降、奇数ラインと略称する）である第１画素４１において表示されている。一方、右目用画像５２は、全画面表示領域Ｔにおける左側端部から数えて偶数番目の画素列（以降、偶数ラインと略称する）である第２画素４２において表示されている。
【００９２】
視差バリアパネル２は、奇数ラインの第１画素４１で表示されている画像を左目用画像視認領域へ分離すると共に、偶数ラインの第２画素４２で表示されている画像を右目用画像視認領域へ分離するようになっているため、第１画素４１で表示されている左目用画像５１は、正常に、左目用画像視認領域で視認され、第２画素４２で表示されている右目用画像５２は、正常に、右目用画像視認領域で視認されることとなる。
【００９３】
一方、図６は、三次元表示領域Ｃの画像が不適切に分離されて観察者が三次元表示を視認できない三次元表示領域Ｃの異常な配置を示している。このとき、左目用画像５１は、偶数ラインの第２画素４２で表示されると共に、右目用画像５２は、奇数ラインの第１画素４１で表示されている。したがって、仮に、本発明の補正手段（位相反転部）６０が設けられていない場合には、左目用画像５１が右目用画像視認領域で視認されると共に、右目用画像５２が左目用画像視認領域で視認されるため、いわゆる逆視状態となってしまう。
【００９４】
次に、図５の正常時及び図６の異常時のそれぞれにおけるバリア位置制御回路６２の制御について説明する。表１は、バリア位置制御回路６２の真理値表を示している。
【００９５】
【表１】
2006047507.tif 000003
【００９６】
制御信号ＳＩＧ2D/3Dは、便宜上デジタル信号として、次のように定義する。
【００９７】
二次元表示を行う場合、ＳＩＧ2D/3D＝０
三次元表示を行う場合、ＳＩＧ2D/3D＝１
制御信号ＳＩＧpositionは、便宜上デジタル信号とし、三次元表示領域Ｃの左端の左目用画像５１の配置に応じて、次のように定義する。
【００９８】
奇数ラインに配置されている場合、ＳＩＧposition＝０
偶数ラインに配置されている場合、ＳＩＧposition＝１
また、表１において、ＯＵＴ（Ａ）は、第１入力端子Ａへの出力値であり、ＯＵＴ（Ｂ）は、第２入力端子Ｂへの出力値である。ここで、Ｖlowとは上記入力端子Ａ，Ｂに選択的に印加される電圧であり、視差バリアパネル２の液晶層３３が十分な光透過状態を得ることができる電圧値とする。Ｖhighとは上記入力端子Ａ，Ｂに選択的に印加される電圧であり、視差バリアパネル２の液晶層３３が十分な光遮断状態を得ることができる電圧値とする。
【００９９】
二次元表示を行う場合であり、且つ三次元表示領域Ｃの左端の左目用画像５１が奇数ラインに配置されている場合には、表１に示すように、ＳＩＧ2D/3D＝０、且つＳＩＧposition＝０であり、第１入力端子Ａ及び第２入力端子Ｂには、液晶層３３が十分な透過状態となる電圧Ｖlowをそれぞれ印加する。
【０１００】
また、二次元表示を行う場合であり、且つ三次元表示領域Ｃの左端の左目用画像５１が偶数ラインに配置されている場合には、表１に示すように、ＳＩＧ2D/3D＝０、且つＳＩＧposition＝１であり、第１入力端子Ａ及び第２入力端子Ｂには、液晶層３３が十分な透過状態となる電圧Ｖlowをそれぞれ印加する。
【０１０１】
このように、二次元表示を行う場合には、全てのバリア制御電極と共通電極との間に低電圧が印加されるため、視差バリアパネル２にバリアが発生せず、全画面が光透過領域となる。すなわち、全画面表示領域Ｔで表示される２次元画像は、視差バリアパネル２に分離されることなく、２次元表示として観察者に視認されることとなる。
【０１０２】
一方、三次元表示を行う場合であり、且つ三次元表示領域Ｃの左端の左目用画像５１が奇数ラインに配置されている正常時には、表１に示すように、ＳＩＧ2D/3D＝１、且つＳＩＧposition＝０であり、第１入力端子Ａには、液晶層３３が十分な遮断状態となる電圧Ｖhighを印加する一方、第２入力端子Ｂには、液晶層３３が十分な透過状態となる電圧Ｖlowを印加する。
【０１０３】
このとき、視差バリアパネル２の液晶層３３には、以下の式（1）及び式（2）に示す高電圧ＶＬＣhigh及び低電圧ＶＬＣlowが部分的に交互に印加される。なお、各式（1）及び（2）におけるＶcomは視差バリアパネル２の共通電極の電位である。
【０１０４】
ＶＬＣhigh ＝Ｖhigh−Ｖcom    ・・・・・（1）
ＶＬＣlow ＝Ｖcom−Ｖlow     ・・・・・（2）
このことにより、液晶層３３の一部の液晶分子が駆動し、光透過部と遮光部（バリア）とが交互に配置されたストライプパターンが形成される。すなわち、視差バリアパネル２には、正位相（非反転状態）のストライプ状のバリアが発生するため、奇数ラインの左目用画像５１が左目用画像視認領域で視認されると共に、偶数ラインの右目用画像５２が右目用視認領域で視認される。したがって、左目用画像５１及び右目用画像５２は、正常に分離される。
【０１０５】
また、三次元表示を行う場合であり、且つ三次元表示領域Ｃの左端の左目用画像５１が偶数ラインに配置されている異常時には、表１に示すように、ＳＩＧ2D/3D＝１、且つＳＩＧposition＝１であり、第１入力端子Ａには、液晶層３３が十分な透過状態となる電圧Ｖlowを印加する一方、第２入力端子Ｂには、液晶層３３が十分な遮断状態となる電圧Ｖhighを印加する。このことにより、視差バリアパネル２には、負位相（反転状態）のバリアが発生するため、偶数ラインの左目用画像５１が左目用画像視認領域で視認されると共に、奇数ラインの右目用画像５２が右目用視認領域で視認される。したがって、左目用画像５１及び右目用画像５２は、正常に分離される。
【０１０６】
以上のように、左目用画像５１及び右目用画像５２の視認位置が正常位置に補正されることにより、二次元表示及び三次元表示が適切に行われる。
【０１０７】
−実施形態１の効果−
したがって、この実施形態１によると、表示位置認識部６１により検出された三次元表示領域Ｃの位置に基づいて、左目用画像５１の視認位置を左目用画像視認領域に補正すると共に、右目用画像５２の視認位置を右目用画像視認領域に補正するようにしたので、三次元表示領域Ｃの移動に拘わらず、所定の正常な視認位置で高品位の三次元画像を視認することができる。
【０１０８】
さらに、上記視認位置を位相反転部６０により補正するようにしたので、隣り合うバリア制御電極３６に印加する電圧の高低を入れ替えることによりバリアの位相を反転することができる。その結果、三次元表示領域Ｃの位置に基づいて、左目用画像５１及び右目用画像５２の視認位置を容易且つ的確に補正することができる。
【０１０９】
《発明の実施形態２》
図７及び図８は、本発明に係る表示装置及び表示方法の実施形態２を示している。尚、以下の各実施形態において、図１〜図６と同じ部分については、同じ符号を付してその詳細な説明を省略する。
【０１１０】
本実施形態の表示装置Ｓは、表示パネル１が、三次元表示領域Ｃにおける左目用画像５１及び右目用画像５２を左右に反転して表示する左右反転表示部６６を備えている。上記左右反転表示部６６は、図８に示すように、上記実施形態１における画像処理部６３に設けられている。言い換えれば、画像処理部６３は、左右反転表示機能を有している。
【０１１１】
さらに、本実施形態の補正手段６０は、上記実施形態１と同様に、位相反転部６０により構成されているが、上記左右反転表示部６６による左右反転表示に同期して、視差バリアパネル２におけるバリアの位相を反転させるように構成されている点で異なっている。
【０１１２】
すなわち、図７及び図８に示すように、バリア位置制御回路６２には、三次元表示領域Ｃの位置を示す制御信号ＳＩＧpositionが表示位置認識部６１から入力される。さらに、バリア位置制御回路６２には、二次元表示又は三次元表示の表示状態を示す制御信号ＳＩＧ2D/3Dが画像処理部６３から入力されると共に、左右反転状態又は左右非反転状態の表示状態を示す制御信号ＳＩＧR/Lが、画像処理部６３の左右反転表示部６６から入力されるようになっている。バリア位置制御回路６２は、入力されたこれらの制御信号ＳＩＧposition，ＳＩＧ2D/3D，ＳＩＧR/Lに基づいて、第１入力端子Ａ及び第２入力端子Ｂに供給する電圧値を決定するようになっている。このことにより、視差バリアパネル２は、バリアのない全透過状態（二次元表示）、バリア形成状態（三次元表示）、又はバリア反転状態（三次元表示）に切り替えられる。
【０１１３】
一方、ディスプレイ駆動回路６４には、画像処理部６３から映像データが入力されると共に、画像処理部６３の左右反転表示部６６から制御信号ＳＩＧR/Lが入力され、これらの映像データ及び制御信号ＳＩＧR/Lに基づいて、ゲート信号やソース信号を表示パネル１に供給するようになっている。このことにより、所望の二次元表示又は三次元表示のための画像が表示される。
【０１１４】
次に、バリア位置制御回路６２の制御について説明する。表２及び表３は、バリア位置制御回路６２の真理値表を示している。表２は三次元表示を行う場合（ＳＩＧ2D/3D＝１）を示し、表３は、二次元表示を行う場合（ＳＩＧ2D/3D＝０）を示している。尚、このとき、視差バリアパネル２の液晶パネルは、ノーマリホワイトモードになっている。
【０１１５】
【表２】
2006047507.tif 000004
【０１１６】
【表３】
2006047507.tif 000005
【０１１７】
ここで、制御信号ＳＩＧR/Lは、便宜上デジタル信号として、次のように定義する。
【０１１８】
左右非反転状態のとき、ＳＩＧR/L＝０
左右反転状態のとき、  ＳＩＧR/L＝１
まず、三次元表示を行う場合（ＳＩＧ2D/3D＝１）である表２について説明する。
【０１１９】
三次元表示領域Ｃの左端の左目用画像５１が奇数ラインに正常に配置され、且つ左右非反転状態である場合には、表２に示すように、ＳＩＧposition＝０、ＳＩＧR/L＝０であり、第１入力端子Ａには、高電圧Ｖhighを印加する（ＯＵＴ（Ａ）＝Ｖhigh）一方、第２入力端子Ｂには、低電圧Ｖlowを印加する（ＯＵＴ（Ｂ）＝Ｖlow）。
【０１２０】
このことにより、視差バリアパネル２には、正位相（非反転状態）のストライプ状のバリアが発生するため、奇数ラインの左目用画像５１が左目用画像視認領域で視認されると共に、偶数ラインの右目用画像５２が右目用視認領域で視認される。したがって、左目用画像５１及び右目用画像５２は、正常に分離される。
【０１２１】
次に、三次元表示領域Ｃの左端の左目用画像５１が奇数ラインに正常に配置され、且つ左右反転状態である場合には、表２に示すように、ＳＩＧposition＝０、ＳＩＧR/L＝１であり、第１入力端子Ａには、低電圧Ｖlowを印加する（ＯＵＴ（Ａ）＝Ｖlow）一方、第２入力端子Ｂには、高電圧Ｖhighを印加する（ＯＵＴ（Ｂ）＝Ｖhigh）。
【０１２２】
このことにより、視差バリアパネル２には、負位相（反転状態）のストライプ状のバリアが発生するため、偶数ラインの左目用画像５１が左目用画像視認領域で視認されると共に、奇数ラインの右目用画像５２が右目用視認領域で視認される。したがって、左目用画像５１及び右目用画像５２は、正常に分離される。
【０１２３】
また、三次元表示領域Ｃの左端の左目用画像５１が偶数ラインに異常に配置され、且つ左右非反転状態である場合には、表２に示すように、ＳＩＧposition＝１、ＳＩＧR/L＝０であり、第１入力端子Ａには、低電圧Ｖlowを印加する（ＯＵＴ（Ａ）＝Ｖlow）一方、第２入力端子Ｂには、高電圧Ｖhighを印加する（ＯＵＴ（Ｂ）＝Ｖhigh）。
【０１２４】
このことにより、視差バリアパネル２には、負位相（反転状態）のストライプ状のバリアが発生するため、偶数ラインの左目用画像５１が左目用画像視認領域で視認されると共に、奇数ラインの右目用画像５２が右目用視認領域で視認される。したがって、左目用画像５１及び右目用画像５２は、正常に分離される。
【０１２５】
次に、三次元表示領域Ｃの左端の左目用画像５１が偶数ラインに異常に配置され、且つ左右反転状態である場合には、表２に示すように、ＳＩＧposition＝１、ＳＩＧR/L＝１であり、第１入力端子Ａには、高電圧Ｖhighを印加する（ＯＵＴ（Ａ）＝Ｖhigh）一方、第２入力端子Ｂには、低電圧Ｖlowを印加する（ＯＵＴ（Ｂ）＝Ｖlow）。
【０１２６】
このことにより、視差バリアパネル２には、正位相（非反転状態）のストライプ状のバリアが発生するため、奇数ラインの左目用画像５１が左目用画像視認領域で視認されると共に、偶数ラインの右目用画像５２が右目用視認領域で視認される。したがって、左目用画像５１及び右目用画像５２は、正常に分離される。
【０１２７】
次に、二次元表示を行う場合（ＳＩＧ2D/3D＝０）である表３について説明する。
【０１２８】
この場合には、制御信号ＳＩＧposition及び制御信号ＳＩＧR/Lの値に拘わらず、第１入力端子Ａ及び第２入力端子Ｂの双方に対し、低電圧Ｖlowを印加する（ＯＵＴ（Ａ）＝ＯＵＴ（Ｂ）＝Ｖlow）。このことにより、視差バリアパネル２が全画面に亘って透過領域となるため、画像の分離は行われず、二次元表示が適切に行われる。
【０１２９】
表示パネルが左右反転表示部６６を備えている場合には、その左右反転表示により、左目用画像５１及び右目用画像５２が表示される画素が変化してしまう。例えば、左目用画像５１が第１画素４１で表示されると共に右目用画像５２が第２画素４２で表示されている場合に、左右反転表示部６６が作動して左右反転表示が行われると、左目用画像５１が第２画素４２で表示されると共に、右目用画像５２が第１画素４１で表示される。これに対し、本実施形態では、位相反転部６０を、上記左右反転表示に同期してバリアの位相を反転させるようにしたので、左目用画像５１及び右目用画像５２を正常な視認位置で視認することができる。
【０１３０】
尚、本実施形態では、表示パネル１が左右反転表示を行う場合について説明したが、本発明はこれに限らず、表示画面で上下反転表示を行う表示装置についても、好適に適用することができる。
【０１３１】
《発明の実施形態３》
図９〜図１１は、本発明に係る表示装置及び表示方法の実施形態３を示している。
【０１３２】
本実施形態の補正手段６０は、配列反転部６０により構成されている。また、配列反転部６０は、視差バリアパネル２と画像処理部６３とディスプレイ駆動回路６４とにより構成されている。そして、配列反転部６０は、表示位置認識部６１により検出された三次元表示領域Ｃの位置に応じて、三次元表示領域Ｃにおける左目用画像５１及び右目用画像５２の配列を反転するようになっている。
【０１３３】
図１１に示すように、画像処理部６３は、表示位置認識部６１から入力された制御信号ＳＩＧpositionに基づいて、映像データをディスプレイ駆動回路６４へ出力すると共に、制御信号ＳＩＧ2D/3Dをバリア位置制御回路６２へ出力する。その結果、ディスプレイ駆動回路６４は、制御信号ＳＩＧpositionに基づいて、左目用画像５１及び右目用画像５２の配列を反転又は非反転した状態で、表示パネル１を駆動するようになっている。一方、バリア位置制御回路６２は、制御信号ＳＩＧ2D/3Dに基づいて、視差バリアパネル２を、光透過領域及び遮光領域が交互に形成されたＯＮ状態、又は全画面に亘って光透過領域が形成されたＯＦＦ状態に駆動するようになっている。つまり、本実施形態では、バリア位置制御回路６２は、上記実施形態１のように補正手段６０として機能しない。
【０１３４】
図９は、左目用画像５１及び右目用画像５２の配列が反転されていない配列非反転状態を示している。一方、図１０は、左目用画像５１及び右目用画像５２の配列が反転された配列反転状態を示している。
【０１３５】
図９に示す配列非反転状態では、三次元表示領域Ｃの左端に通常表示されている左目用画像５１は、全画面表示領域Ｔの奇数ラインである第１画素４１において表示されている。一方、右目用画像５２は、全画面表示領域Ｔの偶数ラインである第２画素４２において表示されている。
【０１３６】
視差バリアパネル２は、奇数ラインの第１画素４１で表示されている画像を左目用画像視認領域へ分離すると共に、偶数ラインの第２画素４２で表示されている画像を右目用画像視認領域へ分離するようになっているため、左目用画像５１及び右目用画像５２は、その配列が反転される必要が無く、正常な視認位置でそれぞれ視認される。
【０１３７】
一方、図１０に示す配列反転状態では、左目用画像５１は、偶数ラインの第２画素４２で表示されると共に、右目用画像５２は、奇数ラインの第１画素４１で表示されている。したがって、仮に、本発明の補正手段（配列反転部）６０が設けられていない場合には、左目用画像５１が右目用画像視認領域で視認されると共に、右目用画像５２が左目用画像視認領域で視認されるため、いわゆる逆視状態となってしまう。
【０１３８】
これに対し、本実施形態では、図１０に示すように、左目用画像５１及び右目用画像５２の配列を反転しているため、偶数ラインの第２画素４２には右目用画像５２を表示すると共に、奇数ラインの第１画素４１には左目用画像５１を表示することが可能となる。その結果、視差バリアパネル２により、左目用画像５１及び右目用画像５２が正常に分離されるため、正常な視認位置で三次元画像を視認することができる。
【０１３９】
また、二次元表示と三次元表示との切り替えを行わず、三次元表示のみを行う場合には、視差バリアパネル２のバリアが固定されたものであっても、視認位置を正常に補正することができる。
【０１４０】
《発明の実施形態４》
図１２は、本発明に係る表示装置及び表示方法の実施形態４を示している。
【０１４１】
本実施形態の表示装置Ｓは、上記実施形態３において、表示パネル１が、三次元表示領域Ｃにおける左目用画像５１及び右目用画像５２を左右に反転して表示する左右反転表示部６６を備えている。上記左右反転表示部６６は、図１２に示すように、上記実施形態３における画像処理部６３に設けられている。言い換えれば、画像処理部６３は、左右反転表示機能を有している。
【０１４２】
さらに、本実施形態の補正手段６０は、上記実施形態３と同様に、配列反転部６０により構成されているが、上記左右反転表示部６６による左右反転表示に同期して、左目用画像５１及び右目用画像５２の配列を反転するように構成されている点で異なっている。
【０１４３】
すなわち、図１２に示すように、ディスプレイ駆動回路６４には、画像処理部６３から映像データが入力されると共に、画像処理部６３の左右反転表示部６６から制御信号ＳＩＧR/Lが入力され、これらの映像データ及び制御信号ＳＩＧR/Lに基づいて、ゲート信号やソース信号を表示パネル１に供給するようになっている。このことにより、所望の二次元表示又は三次元表示のための画像が表示される。
【０１４４】
画像処理部６３は、表示位置認識部６１から入力された制御信号ＳＩＧpositionに基づいて、映像データ及び制御信号ＳＩＧR/Lをディスプレイ駆動回路６４へ出力すると共に、制御信号ＳＩＧ2D/3Dをバリア位置制御回路６２へ出力する。その結果、ディスプレイ駆動回路６４は、制御信号ＳＩＧpositionに基づいて左目用画像５１及び右目用画像５２の配列を反転又は非反転すると共に、制御信号ＳＩＧR/Lに基づいて左目用画像５１及び右目用画像５２の配列を反転又は非反転する。
【０１４５】
一方、バリア位置制御回路６２は、制御信号ＳＩＧ2D/3Dに基づいて、視差バリアパネル２を、光透過領域及び遮光領域が交互に形成されたＯＮ状態、又は全画面に亘って光透過領域が形成されたＯＦＦ状態に駆動するようになっている。
【０１４６】
次に、左右反転の表示状態と、左目用画像５１及び右目用画像５２の配列反転との関係について説明する。表４は、配列反転部６０のディスプレイ駆動回路６４の真理値表を示している。
【０１４７】
【表４】
2006047507.tif 000006
【０１４８】
三次元表示領域Ｃの左端の左目用画像５１が奇数ラインに配置され、且つ左右非反転状態とされたときは、表４に示すように、ＳＩＧposition＝０、ＳＩＧR/L＝０であり、配列の反転状態は非反転となる。
【０１４９】
次に、三次元表示領域Ｃの左端の左目用画像５１が奇数ラインに配置され、且つ左右反転状態とされたときは、表４に示すように、ＳＩＧposition＝０、ＳＩＧR/L＝１であり、配列の反転状態は反転となる。
【０１５０】
また、三次元表示領域Ｃの左端の左目用画像５１が偶数ラインに配置され、且つ左右非反転状態とされたときは、表４に示すように、ＳＩＧposition＝１、ＳＩＧR/L＝０であり、配列の反転状態は反転となる。
【０１５１】
次に、三次元表示領域Ｃの左端の左目用画像５１が偶数ラインに配置され、且つ左右反転状態とされたときは、表４に示すように、ＳＩＧposition＝１、ＳＩＧR/L＝１であり、配列の反転状態は非反転となる。
【０１５２】
その結果、上記４つの何れの場合であっても、左目用画像５１は、奇数ラインで表示されるために左目用画像視認領域で正常に視認されると共に、右目用画像５２は、偶数ラインで表示されるために右目用視認領域で正常に視認される。
【０１５３】
したがって、本実施形態によると、配列反転部６０により、上記左右反転表示に同期して左目用画像５１及び右目用画像５２の配列を反転させるようにしたので、左目用画像５１及び右目用画像５２を正常な視認位置で視認することができる。
【０１５４】
《発明の実施形態５》
図１３及び図１４は、本発明に係る表示装置及び表示方法の実施形態５を示している。
【０１５５】
本実施形態の補正手段６０は、領域移動部により構成されている。また、領域移動部は、表示パネル１と画像処理部６３とディスプレイ駆動回路６４とにより構成されている。そして、表示位置認識部６１により検出された三次元表示領域Ｃの位置に応じて、三次元表示領域Ｃを、左目用画像５１が第１視認領域で視認されると共に右目用画像５２が第２視認領域で視認される所定の正常位置に移動させるようになっている。
【０１５６】
すなわち、左目用画像５１及び右目用画像５２が正常な視認位置で視認されるためには、図１３に示すように、左目用画像５１が奇数ラインで表示され、且つ右目用画像５２が偶数ラインで表示されることが必要である。
【０１５７】
そこで、領域移動部は、左目用画像５１が常に奇数ライン（つまり第１画素）で表示され、且つ右目用画像５２が常に偶数ライン（つまり第２画素）で表示されるように、三次元表示領域Ｃの表示位置に制限を加えるようにしている。具体的には、三次元表示領域Ｃの表示位置は、一画素おきに移動することが好ましい。つまり、全画面表示領域Ｔには、左目用画像５１及び右目用画像５２を正常に視認できる三次元表示領域Ｃの位置である正常位置が、一画素おきに存在している。
【０１５８】
例えば、図１３に示す三次元表示領域Ｃは、左側端部が、全画面表示領域Ｔの左端から数えて３列めに配置されている。この三次元表示領域Ｃを最も小さい距離だけ移動させると、図１４に示すように、全画面表示領域Ｔの左端から数えて５列目に配置されることとなる。
【０１５９】
したがって、このように補正手段６０を領域移動部により構成することによっても、上記各実施形態と同様に、左目用画像５１及び右目用画像５２の視認位置を正常な視認位置に補正することができる。
【０１６０】
さらに、上記実施形態２及び４と同様に、画像処理部６３が左右反転表示部６６を備え、表示パネル１で左右反転表示を行う表示装置Ｓに対しても、本実施形態の上記領域移動部を設けることが可能である。
【０１６１】
すなわち、この場合、領域移動部は、左右反転表示部６６による左右反転表示に同期して、三次元表示領域Ｃを上記正常位置に移動させるように構成されている。このことにより、左右反転表示に拘わらず、三次元表示領域Ｃが領域移動部により常に正常位置に配置されることとなるため、左目用画像５１及び右目用画像５２を正常な視認位置で視認することができる。
【０１６２】
《その他の実施形態》
上記各実施形態では、第１画像を左目用画像５１とし且つ第２画像を右目用画像５２として説明したが、本発明はこれに限らず、第１画像を右目用画像５２とし且つ第２画像を左目用画像５１としてもよい。
【産業上の利用可能性】
【０１６３】
以上説明したように、本発明は、複数の画像を分離して表示する表示装置及び表示方法について有用であり、特に、全画面表示領域に対し、分離される元の複数種類の画像を表示する複数画像表示領域が移動しても、正常な視認位置で高品位の画像を視認できるようにする場合に適している。
【図面の簡単な説明】
【０１６４】
【図１】実施形態１の表示装置の要部を示す断面図である。
【図２】視差バリアパネルの電極構造の一部を示す斜視図である。
【図３】電極構造の入力端子に接続されたバリア位置制御手段を示す斜視図である。
【図４】実施形態１における表示装置の制御構成をブロックで示す説明図である。
【図５】正常な位置にある三次元表示領域と、全画面表示領域とを示す平面図である。
【図６】異常な位置にある三次元表示領域と、全画面表示領域とを示す平面図である。
【図７】実施形態２のバリア位置制御手段を示す斜視図である。
【図８】実施形態２における表示装置の制御構成をブロックで示す説明図である。
【図９】正常な位置にある三次元表示領域と、全画面表示領域とを示す平面図である。
【図１０】三次元表示領域における画像の配列が反転された状態を示す平面図である。
【図１１】実施形態３における表示装置の制御構成をブロックで示す説明図である。
【図１２】実施形態４における表示装置の制御構成をブロックで示す説明図である。
【図１３】正常な位置にある三次元表示領域と、全画面表示領域とを示す平面図である。
【図１４】制限されて正常位置に移動した三次元表示領域を示す平面図である。
【図１５】三次元表示を行う従来の表示装置の要部を模式的に示す断面図である。
【図１６】三次元表示を行う表示装置により形成される観察領域を示す説明図である。
【図１７】正常な位置にある三次元表示領域と、全画面表示領域とを示す平面図である。
【図１８】異常な位置にある三次元表示領域と、全画面表示領域とを示す平面図である。
【符号の説明】
【０１６５】
Ｔ  全画面表示領域
Ｃ  三次元表示領域（複数画像表示領域）
Ｓ  表示装置
１  表示パネル
２  視差バリアパネル
３６  バリア制御電極
４１  第１画素
４２  第２画素
５１  左目用画像（第１画像）
５２  右目用画像（第２画像）
６０  位相反転部、配列反転部（補正手段）
６１  表示位置認識部（検出手段）
６２  バリア位置制御回路
６３  画像処理部
６４  ディスプレイ駆動回路
６６  左右反転表示部
【図１】
2006047507.tif 000007
【図２】
2006047507.tif 000008
【図３】
2006047507.tif 000009
【図４】
2006047507.tif 000010
【図５】
2006047507.tif 000011
【図６】
2006047507.tif 000012
【図７】
2006047507.tif 000013
【図８】
2006047507.tif 000014
【図９】
2006047507.tif 000015
【図１０】
2006047507.tif 000016
【図１１】
2006047507.tif 000017
【図１２】
2006047507.tif 000018
【図１３】
2006047507.tif 000019
【図１４】
2006047507.tif 000020
【図１５】
2006047507.tif 000021
【図１６】
2006047507.tif 000022
【図１７】
2006047507.tif 000023
【図１８】
2006047507.tif 000024